(57)【要約】【課題】機械的強度に優れるとともに、防水シートとの接合強度の経時的な劣化を防止することが可能な固定具を提供すること。【解決手段】本発明の固定具１２０は、防水シート１１２を躯体１００表面に固定するものであって、円板１２１と、円板１２１の中心部に設けられた第１貫通孔１２２と、第１貫通孔の周囲に設けられた凹部１２３と、凹部１２３から円板１２１の外周方向に向かって延設された溝部１２４と、溝部１２４内に設けられた第２貫通孔１２５と、を備えている。円板１２１は、樹脂層で被覆されている。溝部１２４は、円板１２１の外周縁まで伸びていない構成となっている。【選択図】図２
2017101477.tif 000002
【特許請求の範囲】
【請求項１】
防水シートを躯体表面に固定する固定具であって、
樹脂層で被覆された円板と、
前記円板の中心部に設けられた第１貫通孔と、
前記第１貫通孔の周囲に設けられた凹部と、
前記凹部から前記円板の外周方向に向かって延設された溝部と、
前記溝部内に設けられた第２貫通孔と、を有し、
前記溝部は、前記円板の外周縁まで伸びていないことを特徴とする固定具。
【請求項２】
前記凹部を複数有し、
複数の前記凹部は、前記第１貫通孔を囲むように、前記円板の円周方向に配列している請求項１に記載の固定具。
【請求項３】
前記凹部は、前記第１貫通孔を囲むように形成されている請求項１に記載の固定具。
【請求項４】
複数の前記溝部が、前記凹部から前記円板の外周方向に向かって延設されている請求項１ないし３のいずれか１項に記載の固定具。
【請求項５】
前記樹脂層は、前記防水シートと誘導加熱処理によって融着する樹脂で構成されている請求項１ないし４のいずれか１項に記載の固定具。
【発明の詳細な説明】
【技術分野】
【０００１】
本発明は、固定具に関する。
【背景技術】
【０００２】
工場の屋根上やビルの屋上等の躯体表面には、防水のために、絶縁工法を用いたシート防水工法により防水シートを張設することが一般的に行われている。
【０００３】
この絶縁工法とは、例えば、塩化ビニル樹脂で被覆した鋼板からなる円板状の敷設用固定具を固定ネジ等によって、躯体表面に点在状態で多数固定し、合成樹脂等からなる防水シートを躯体表面に張り渡し、防水シートを固定具に接合する工法である。
【０００４】
当該工法における接合は、例えば、高周波誘導加熱により防水シート側から固定具の鋼板を加熱して被覆樹脂を溶融させるとともに防水シートの当接部分を溶融させ、さらに当接部分を押圧してこれらを溶着させることにより行われる。
【０００５】
シートの固定に用いられる固定具は、固定ネジ等を層通する貫通孔と、固定具の強度を向上させる目的で凹部が形成されている（例えば、特許文献１参照）。
【０００６】
ところで、防水シートの設置環境では、日中の温度上昇と夜間の温度下降との温度差によって、上記凹部内の空気が膨張収縮を繰り返すこととなる。一般に、このような膨張収縮を繰り返すことで、防水シートと固定具との接合部分に負荷が掛かり、接合強度が低下する。
【０００７】
特許文献１の固定具では、凹部から周縁部にまで達する溝部によって、凹部内の空気を逃がす構成とすることで、上記のような接合強度の低下を抑制している。
【０００８】
しかしながら、上記構造の固定具では、凹部から周縁部にまで達する上記溝部によって、固定具の強度が低下し、躯体表面に固定する際に、固定ネジ等の締め付け具合によっては、固定具が変形する場合がある。その結果、防水シートと固定具との接合面積を十分に確保することができず、接合不良となる問題があった。
【先行技術文献】
【特許文献】
【０００９】
【特許文献１】特開２００８−２６７０５９号公報
【発明の概要】
【発明が解決しようとする課題】
【００１０】
本発明の目的は、機械的強度に優れるとともに、防水シートとの接合強度の経時的な劣化を防止することが可能な固定具を提供することにある。
【課題を解決するための手段】
【００１１】
このような目的は、下記（１）〜（５）に記載の本発明により達成される。
（１）  防水シートを躯体表面に固定する固定具であって、
樹脂層で被覆された円板と、
前記円板の中心部に設けられた第１貫通孔と、
前記第１貫通孔の周囲に設けられた凹部と、
前記凹部から前記円板の外周方向に向かって延設された溝部と、
前記溝部内に設けられた第２貫通孔と、を有し、
前記溝部は、前記円板の外周縁まで伸びていないことを特徴とする固定具。
【００１２】
（２）  前記凹部を複数有し、
複数の前記凹部は、前記第１貫通孔を囲むように、前記円板の円周方向に配列している上記（１）に記載の固定具。
【００１３】
（３）  前記凹部は、前記第１貫通孔を囲むように形成されている上記（１）に記載の固定具。
【００１４】
（４）  複数の前記溝部が、前記凹部から前記円板の外周方向に向かって延設されている上記（１）ないし（３）のいずれかに記載の固定具。
【００１５】
（５）  前記樹脂層は、前記防水シートと誘導加熱処理によって融着する樹脂で構成されている上記（１）ないし（４）のいずれかに記載の固定具。
【発明の効果】
【００１６】
本発明によれば、機械的強度に優れるとともに、防水シートとの接合強度の経時的な劣化を防止することが可能な固定具を提供することができる。
【図面の簡単な説明】
【００１７】
【図１】シート防水構造の好適な実施形態を示す断面図である。
【図２】本発明の固定具の第１実施形態を示す平面図である。
【図３】本発明の固定具の第２実施形態を示す平面図である。
【図４】本発明の固定具の第３実施形態を示す平面図である。
【発明を実施するための形態】
【００１８】
以下、本発明の固定具を添付図面に示す好適実施形態に基づいて詳細に説明する。
１．固定具およびシート防水構造
図１は、シート防水構造の好適な実施形態を示す断面図、図２は、本発明の固定具の第１実施形態を示す平面図である。
【００１９】
図１に示すように、シート防水構造１０は、躯体１００と、躯体１００の表面に敷設されている防水層１１０と、防水層１１０を固定するための固定具１２０と、固定ネジ１３０と、を有する。
【００２０】
本実施形態では、シート防水構造１０が施工された、屋根のような躯体（構造体）１００を一例にして説明する。
【００２１】
躯体１００は、ビルや家屋等の防水を必要とする屋上、屋根、ベランダの床面等である。
【００２２】
躯体１００の表面に敷設された防水層１１０は、図１に示すように、躯体１００の表面を覆う断熱層１１１と、断熱層（下地層）１１１の表面を覆う防水シート１１２とで構成されている。
【００２３】
断熱層１１１の材質としては、通常、建物の断熱に用いられる断熱材であれば、特に制限されず、例えば、発泡ポリスチレン、ポリウレタンフォーム、ポリイソシアヌレートフォーム、フェノールフォーム等が挙げられる。
【００２４】
断熱層１１１としては、特に制限されず、躯体１００と防水シート１１２との間に配置されて、断熱機能を発揮するものであればよい。断熱層１１１は、上記のような断熱材のみで形成されていてもよいし、他には、例えば、上記のような断熱材上に（上記断熱材と固定板との間に）、例えば、ポリエチレン製の織布からなる絶縁クロスシート、ガラス繊維製の防火用シート、ピンホール検査用のアルミ箔ラミネートシート等や、人の歩行を可能にする目的で、歩行用ボードとして、珪酸カルシウム板、石綿スレート板、軽量気泡コンクリート板等の高剛性板が敷かれているものであってもよく、この場合は、上記断熱材及びその上に敷かれている絶縁クロスシート、防火用シート、アルミ箔ラミネートシート、高剛性板等が、断熱層１１１である。
【００２５】
防水シート１１２の材質としては、防水性と耐候性を有し、通常、建物の防水シートとして用いられるものであれば、特に制限されず、例えば、ポリ塩化ビニル樹脂、ポリオレフィン系樹脂、エチレン酢酸ビニル共重合体等の軟質の合成樹脂、合成ゴム系の材質等が挙げられる。これらのうち、防水シート１１２の材質としては、ポリ塩化ビニル樹脂が、溶剤溶着性や熱融着性に優れる点で好ましい。防水シートの厚みは、特に制限されず、必要に応じて適宜選択される。
【００２６】
固定具１２０は、図１、図２に示すように、円板１２１と、円板１２１の中心部に設けられた第１貫通孔１２２と、第１貫通孔の周囲に設けられた凹部１２３と、凹部１２３から円板１２１の外周方向に向かって延設された溝部１２４と、溝部１２４内に設けられた第２貫通孔１２５と、を備えている。
【００２７】
円板１２１は、図２に示すように、平面視で真円状をなしている。
円板１２１は、樹脂層で被覆されている。
【００２８】
円板１２１を構成する材料としては、例えば、鉄、ステンレス鋼、アルミニウム、銅、その他合金が挙げられる。
【００２９】
なお、誘導加熱処理によって固定具１２０と防水シート１１２とを融着する場合は、熱の伝達を防止する目的で、固定具１２０の下に厚紙等の熱伝導率の低い部材を敷設することが好ましい。
【００３０】
円板１２１を被覆する樹脂層を構成する樹脂としては、例えば、ポリ塩化ビニル樹脂、ポリオレフィン系樹脂、エチレン酢酸ビニル共重合体等の軟質の合成樹脂、合成ゴム系の材質等が挙げられる。これらのうち、樹脂層は、防水シートと誘導加熱処理によって融着する樹脂で構成されているのが好ましい。このような樹脂としては、例えば、防水シートがポリ塩化ビニル樹脂で構成されている場合、熱融着生に優れる観点から、防水シートと同種の樹脂（例えば、ポリ塩化ビニル樹脂等）を用いるのが好ましい。
【００３１】
円板１２１は、中央部に第１貫通孔１２２を備えている。
第１貫通孔１２２には、固定ネジ１３０が層通される。固定ネジ１３０を層通することにより、固定具１２０が躯体１００に固定される。
【００３２】
第１貫通孔１２２の周囲には、３つの凹部１２３が設けられている。
凹部１２３は、円板１２１の機械的強度を向上させる機能を有する。
【００３３】
３つの凹部１２３は、図２に示すように、第１貫通孔１２２を囲むように、円板１２１の円周方向に配列している。これにより、固定具１２０の機械的強度をより高いものとすることができる。
【００３４】
また、図２に示すように、各凹部１２３から円板１２１の外周方向に向かって、それぞれ、３つの溝部１２４が延設されている。この外周方向に向かって伸びる溝部は直線、または、曲線形状であっても構わない。
各溝部１２４は、円板１２１の外周縁まで伸びていない構成となっている。
【００３５】
また、各溝部１２４の内部には、図２に示すように、第２貫通孔１２５が設けられている。第２貫通孔１２５は、凹部１２３内の気体を凹部１２３外へ逃がす機能を備えている。
【００３６】
上記のような構成の固定具１２０とすることにより、溝部が外周縁に達している場合と比較して、固定具１２０は、溝部１２４方向を折り目とする折り曲げに対して高い機械的強度を示すものとなる。また、防水シート１１２との接合面積を比較的大きなものとすることができる。その結果、機械的強度に優れるとともに、防水シート１１２との接合強度の経時的な劣化を防止することが可能な固定具１２０を提供することができる。
【００３７】
固定具１２０は、図１に示すように、断熱層１１１と防水シート１１２との間に配置される。
【００３８】
円板１２１の防水シート側の面は、防水シート１１２に接合されている。
円板１２１の防水シート１１２側の面と防水シート１１２との接合形態としては、例えば、防水シート１１２に覆われた状態で、防水シート１１２の上から、円板１２１の防水シート１１２側の面に被覆されている樹脂を加熱することにより、円板１２１の防水シート１１２側の面に被覆されている樹脂で融着された形態、防水シートを円板１２１の防水シート１１２側の面に載置するときに、円板１２１の防水シート１１２側の面に被覆されている樹脂に溶剤を塗布することにより、円板１２１の防水シート１１２側の面に被覆されている樹脂で溶着された形態、防水シートを円板１２１の防水シート１１２側の面に載置するときに、円板１２１の防水シート１１２側の面に接着剤を塗布することにより、接着剤で接着された形態等が挙げられる。
【００３９】
固定ネジ１３０は、平面形状が円形のネジ頭と、側面にネジ山が形成されている軸と、先端部と、で構成されている。
【００４０】
固定ネジ１３０が第１貫通孔１２２に挿通した状態で、固定ネジ１３０が躯体１００に捻じり込み固定されることで、躯体１００に固定具１２０が固定される。
【００４１】
２．シート防水構造の施工方法
上記のようなシート防水構造１０は、例えば、以下に示す方法により施工・構築される。
【００４２】
まず、躯体１００の表面に、断熱層１１１を載置する。
次に、断熱層１１１上の固定具１２０の設置箇所に、固定具１２０を設置する。
【００４３】
次いで、第２貫通孔１２５を介して固定ネジ１３０を躯体１００に捻じ込むことにより、断熱層１１１が、固定具１２０により、躯体１００に固定される。
【００４４】
次に、断熱層１１１および固定具１２０を覆うように、防水シート１１２を載置する。
次に、円板１２１（固定具１２０）の防水シート１１２側の面と防水シート１１２とを誘導加熱法を用いて接合させることにより、図１に示すシート防水構造１０が構築される。誘導加熱法を用いることにより、固定具１２０と防水シート１１２との接合強度をより高いものとすることができる。
【００４５】
３．固定具の第２実施形態
次に、本発明の固定具の第２実施形態について説明する。
【００４６】
図３は、本発明の固定具の第２実施形態を示す平面図である。
以下、第２実施形態の固定具１２０’について、前記第１実施形態の固定具１２０との相違点を中心に説明し、同様の事項については、その説明を省略する。
【００４７】
固定具１２０’は、図３に示すように、円板１２１と、円板１２１の中心部に設けられた第１貫通孔１２２と、第１貫通孔の周囲に設けられた凹部１２３’と、凹部１２３から円板１２１の外周方向に向かって延設された溝部１２４と、溝部１２４内に設けられた第２貫通孔１２５と、を備えている。
【００４８】
本実施形態では、１つの凹部１２３’が第１貫通孔１２２を囲むように形成されている点で、前述した第１実施形態と異なっている。すなわち、本実施形態では、平面視の形状がリング状の凹部１２３’が第１貫通孔１２２の周囲に形成されている。
【００４９】
そして、１つの凹部１２３’から３つの溝部１２４が円板１２１の外周方向に向かって延設されている。
【００５０】
このような構成の固定具１２０’では、上述した第１実施形態の固定具１２０と同様に、機械的強度に優れ、防水シート１１２との接合強度の経時的な劣化を防止することができる。
【００５１】
４．固定具の第３実施形態
次に、本発明の固定具の第３実施形態について説明する。
図３は、本発明の固定具の第２実施形態を示す平面図である。
【００５２】
以下、第３実施形態の固定具１２０”について、前記第１実施形態の固定具１２０との相違点を中心に説明し、同様の事項については、その説明を省略する。
【００５３】
固定具１２０”は、図４に示すように、円板１２１と、円板１２１の中心部に設けられた第１貫通孔１２２と、第１貫通孔の周囲に設けられた凹部１２３”と、凹部１２３から円板１２１の外周方向に向かって延設された溝部１２４と、溝部１２４内に設けられた第２貫通孔１２５と、を備えている。
【００５４】
本実施形態では、５つの凹部１２３”が第１貫通孔１２２を囲むように、円板１２１の円周方向に配列している点で、前述した第１実施形態と異なっている。
【００５５】
そして、各凹部１２３”から５つの溝部１２４が円板１２１の外周方向に向かって延設されている。
【００５６】
このような構成の固定具１２０”では、上述した第１実施形態の固定具１２０と同様に、機械的強度に優れ、防水シート１１２との接合強度の経時的な劣化を防止することができる。
【００５７】
以上、本発明の固定具について説明したが、本発明は、これらに限定されるものではない。
【００５８】
例えば、固定具の凹部が１つ、３つ、および、５つの場合について説明したが、これに限定されず、２つ、４つ、６つ以上であってもよい。なお、凹部の数は、奇数個であるのが好ましい。これにより、固定具の機械的強度をより高いものとすることができる。
【００５９】
また、シート防水構造において、各構成は、同様の機能を発揮し得る任意のものと置換することができ、あるいは、任意の構成のものを付加することができる。
【００６０】
また、前記実施形態では、シート防水構造が断熱層を有するものとして説明したが、防水シートの下地層として機能するものであれば、断熱機能は無くてもよい。
【００６１】
また、シート防水構造の施工方法には、任意の目的の工程が１または２以上追加されてもよい。
【符号の説明】
【００６２】
１０      ：シート防水構造
１００    ：躯体
１１０    ：防水層
１１１    ：断熱層
１１２    ：防水シート
１２０    ：固定具
１２０’  ：固定具
１２０”  ：固定具
１２１    ：円板
１２２    ：第１貫通孔
１２３    ：凹部
１２３’  ：凹部
１２３”  ：凹部
１２４    ：溝部
１２５    ：第２貫通孔
１３０    ：固定ネジ
【図１】
2017101477.tif 000003
【図２】
2017101477.tif 000004
【図３】
2017101477.tif 000005
【図４】
2017101477.tif 000006